(57)【要約】【課題】  専用センサが不要で、携帯して検査に使用する機器の携帯姓に優れ、かつ安価に構築できる携帯端末利用検査システムを提供する。【解決手段】  マイクロフォン３を内蔵しまたは接続可能でかつ画像を出力する画面表示装置２１を有する汎用の携帯情報端末器２と、この携帯情報端末器２に通信回線網７によって接続されるサーバ６とを備える。携帯情報端末器２は、検査対象物１をマイクロフォン３で録音した音響データをサーバ６に返送する音響データ送信手段３５、および処理結果表示手段３６を有する。サーバ６は、受信した音響データを解析して異常判定する処理を行うデータ処理手段４、および処理結果返送手段１４を有する。【選択図】        図１
2016023928.tif 000002
【特許請求の範囲】
【請求項１】
マイクロフォンを内蔵しまたはマイクロフォンを接続可能でかつ画像を出力する画面表示装置を有する汎用の携帯情報端末器と、この携帯情報端末器に通信回線網によって接続されるサーバとを備え、
前記携帯情報端末器は、検査対象物を前記マイクロフォンで録音した音響データを前記サーバに返送する音響データ送信手段、および送信した音響データに対して前記サーバから返送された処理結果を前記画面表示装置の画面に表示する処理結果表示手段を有し、
前記サーバは、前記携帯情報端末器から送信された音響データを受信する受信処理手段、この受信した音響データを解析して異常判定する処理を行うデータ処理手段、およびこのデータ処理手段の処理結果を前記携帯情報端末器へ返送する処理結果返送手段を有することを特徴とする携帯端末利用検査システム。
【請求項２】
請求項１記載の携帯端末利用検査システムにおいて、前記携帯情報端末器の前記音響データ送信手段は、前記内蔵のマイクロフォンで録音した音響データを前記サーバに送信する携帯端末利用検査システム。
【請求項３】
請求項１または請求項２に記載の携帯端末利用検査システムにおいて、前記検査対象物が、転動体を備えた機械部品である回転機械部品である携帯端末利用検査システム。
【請求項４】
請求項１ないし請求項３のいずれか１項に記載の携帯端末利用検査システムにおいて、前記携帯情報端末器は、アプリケーションプログラムをダウンロードしてインストール可能なＯＳを備え、前記音響データ送信手段および前記処理結果表示手段は、前記アプリケーションプログラムである検査プログラムにより構成される携帯端末利用検査システム。
【請求項５】
携帯端末利用検査システムを構成するサーバであって、
前記携帯端末利用検査システムは、マイクロフォンを内蔵しまたはマイクロフォンを接続可能でかつ画像を出力する画面表示装置を有する汎用の携帯情報端末器と、この携帯情報端末器に通信回線網によって接続されるサーバとを備え、
前記サーバは、前記携帯情報端末器から送信された音響データを受信する受信処理手段と、この受信した音響データを解析して異常判定する処理を行うデータ処理手段、およびこのデータ処理手段の処理結果を前記携帯情報端末器へ返送する処理結果返送手段を有する、
携帯端末利用検査システム用サーバ。
【請求項６】
マイクロフォンを内蔵しまたはマイクロフォンを接続可能で、画像を出力する画面表示装置、およびアプリケーションプログラムをダウンロードしてインストール可能なＯＳを有する汎用の携帯情報端末器と、この携帯情報端末器に通信回線網によって接続されるサーバとを備え、
前記携帯情報端末器は、検査対象物を前記マイクロフォンで録音した音響データを解析して異常判定する処理を行う端末側データ処理手段と、この端末側データ処理手段の処理結果を前記画面表示装置に表示する処理結果表示手段とを有し、これら端末側データ処理手段および処理結果表示手段は、前記アプリケーションプログラムである検査プログラムを用いて構成され、
前記サーバは、前記検査プログラムを前記携帯情報端末器からの要求に応じて送信する検査プログラム配信手段を有する携帯端末利用検査システム。
【発明の詳細な説明】
【技術分野】
【０００１】
この発明は、各種の検査対象物、例えば転がり軸受や等速ボールジョイント等の回転機械部品につき、一般に普及しているスマートフォン等の携帯情報端末器を用いて検出を可能にした携帯端末利用検査システムおよびそのサーバに関する。
【背景技術】
【０００２】
従来、軸受等の回転機械部品の検査システムとして、振動の測定を行い、異常等を検査する方法がある。この検査システムとして、一般に普及している携帯情報端末器を使用し、これに入力する振動センサを用いることで、軸受等の回転機械部品の動作状態を簡易に検査可能としたものが提案されている。（例えば、特許文献１）。
【０００３】
この他に、回転機械部品の検査に用いる装置として、音響センサ装置が提案されている（例えば、特許文献２）。その音響センサとしては、例えばマイクロフォンを用い、検査対象物の音を採取する。
【先行技術文献】
【特許文献】
【０００４】
【特許文献１】特開２０１３−２２８３５２
【特許文献２】特開２０１０−２１６９６６
【発明の概要】
【発明が解決しようとする課題】
【０００５】
前記従来の携帯情報端末器を使用する検査システムは、振動を検出して異常を検出するものであり、振動を検出するピックアップ等の専用センサを用いる。また、専用センサで検出した信号を携帯情報端末器に入力するには、専用センサで検出したアナログ信号をディジタル信号に変換するためのＡ／Ｄ変換器が必要となり、さらにこれら専用センサおよびＡ／Ｄ変換器を作動させる電源が必要となる。
このように、携帯情報端末器とは別に専用センサ、Ａ／Ｄ変換器、および電源が必要となるため、携帯姓が悪いうえ、高価になる。
【０００６】
なお、前記従来の音響センサ装置を開示した特許文献２は、磁石等で検査対象物に取付けることが記載されているが、単にセンサ装置として記載されていて、検出した音響信号を解析する装置やその装置への信号の送受についての具体的な開示はない。
【０００７】
この発明の目的は、専用センサが不要で、携帯して検査に使用する機器の携帯姓に優れ、かつ安価に構築できる携帯端末利用検査システムおよびそのサーバを提供することである。
【課題を解決するための手段】
【０００８】
この発明の第１の携帯端末利用検査システムは、マイクロフォン３を内蔵しまたはマイクロフォン３Ａを接続可能でかつ画像を出力する画面表示装置２１を有する汎用の携帯情報端末器２と、この携帯情報端末器２に通信回線網７によって接続されるサーバ６とを備え、
前記携帯情報端末器２は、検査対象物１を前記マイクロフォン３，３Ａで録音した音響データを前記サーバ６に返送する音響データ送信手段３５、および送信した音響データに対して前記サーバ６から返送された処理結果を前記画面表示装置２１の画面に表示する処理結果表示手段３６を有し、
前記サーバ６は、前記携帯情報端末器２から送信された音響データを受信する受信処理手段１３、この受信した音響データを解析して異常判定する処理を行うデータ処理手段４、およびこのデータ処理手段４の処理結果を前記携帯情報端末器２へ返送する処理結果返送手段１４を有することを特徴とする。
【０００９】
この構成によると、検査対象物１をマイクロフォン３で録音した音響データをサーバ６に送信し、サーバ６により音響データを解析して異常判定するため、サーバ６の持つ高性能の処理機能により音響データの解析および異常判定の処理を行うことができる。処理結果はサーバ６から携帯情報端末器２へ返送するため、携帯情報端末器２で異常判定結果等の処理結果を表示して作業者が処理結果を知ることができる。
また、異常判定に音響データを用いるが、スマートフォンやタブレット等の携帯情報端末器２はマイクロフォン３を一般的に内蔵しており、この内蔵のマイクロフォン３を用いることで、外部機器を接続することなく、検査データの収集、つまり音響データの録音が行える。そのため、携帯情報端末器２のみで、検査データの収集からその送信、処理結果の表示までが行える。
音響データの録音に、外付けのマイクロフォン３Ａを用いる場合は、指向性の高いマイクロフォンを用いることなどで、検査対象物１の特定の部位から発する音響を効率的に録音することができる。この場合は外付けのマイクロフォン３Ａが必要であるが、市販されている一般のマイクロフォンを用いれば良く、専用センサは不用である。携帯情報端末器２がマイク入力端子４４を持つ場合は、外付けのＡ／Ｄ変換器も不要となる。
このように、一般的な携帯情報端末器２を検査対象物の検査のための音響データの取得に使用し、専用センサを使用しないため、安価に検査システムを構築できる。
このように、この携帯端末利用検査システムによると、専用センサが不要で、携帯して検査に使用する機器の携帯姓に優れ、かつ安価に構築できる。
【００１０】
なお、前記汎用の携帯情報端末器２は、スマートフォンやタブレット等であり、電話機能は必ずしも備えていなくても良いが、電話網，インターネット等の広域の通信回線網７を介してサーバ６と接続可能で、かつアプリケーションプログラムをダウンロードしてインストール可能なＯＳ（オペレーションプログラム）９を有する情報処理機器である。
前記携帯情報端末器２に接続されるマイクロフォン３Ａは、携帯情報端末器２に設けられたマイク入力端子４４に接続されるもの、または前記携帯情報端末器２に設けられたマイクロＵＳＢ（接続インタフェース規格であるＵＳＢ規格の一つ）等の規格に適合した端子を持つケーブルや、無線ＬＡＮ等で携帯情報端末器２と接続されるものである。
【００１１】
前記検査対象物１は、転動体１ａを備えた機械部品である回転機械部品であっても良い。回転機械部品、特に転がり軸受等であると、音響データによる異常の判定が効果的に行える。なお、この明細書において、「回転機械部品」は、転がり軸受や等速ボールジョイント等の転動体１ａを備えた機械部品を言う。
【００１２】
この発明の携帯端末利用検査システムにおいて、前記携帯情報端末器２は、アプリケーションプログラムをダウンロードしてインストール可能なＯＳ９を備え、前記音響データ送信手段３５および前記処理結果表示手段３６は、前記アプリケーションプログラムである検査プログラム３３により構成されるものであっても良い。前記携帯情報端末器２のハードウェア部分、ＯＳ９、および検査プログラム３３により、前記音響データ送信および処理結果表示の機能を有する携帯情報端末器２が構成される。
このようにアプリケーションプログラムである検査プログラム３３をダウンロードしてインストールすることで、一般の携帯情報端末器２を、この携帯端末利用検査システムを構成する音響データ検査用の機器として使用できる。
【００１３】
この発明のサーバ６は、前記携帯端末利用検査システムを構成するサーバであって、前記携帯端末利用検査システムは、マイクロフォン３を内蔵しまたはマイクロフォン３Ａを接続可能でかつ画像を出力する画面表示装置２１を有する汎用の携帯情報端末器２と、この携帯情報端末器２に通信回線網７によって接続されるサーバ６とを備え、
前記サーバ６は、前記携帯情報端末器２から送信された音響データを受信する受信処理手段１３と、この受信した音響データを解析して異常判定する処理を行うデータ処理手段４、およびこのデータ処理手段４の処理結果を前記携帯情報端末器２へ返送する処理結果返送手段１４を有する。
この構成のサーバによると、この発明の第１の携帯端末利用検査システムにつき説明したと同様に、携帯情報端末器２に専用センサを接続することが不要で、携帯して検査に使用する機器の携帯姓に優れた携帯端末利用検査システムを構築できる。
【００１４】
この発明の他の携帯端末利用検査システムは、マイクロフォン３を内蔵しまたはマイクロフォン３Ａを接続可能で、画像を出力する画面表示装置２１、およびアプリケーションプログラムをダウンロードしてインストール可能なＯＳ９を有する汎用の携帯情報端末器２と、この携帯情報端末器２に通信回線網７によって接続されるサーバ６とを備え、
前記携帯情報端末器２は、検査対象物１を前記マイクロフォン３，３Ａで録音した音響データを解析して異常判定する処理を行う端末側データ処理手段３８Ａ］と、この端末側データ処理手段３８Ａの処理結果を前記画面表示装置２１に表示する処理結果表示手段３６Ａとを有し、これら端末側データ処理手段３８Ａおよび処理結果表示手段３６Ａは、前記アプリケーションプログラムである検査プログラム３３を用いて構成され、
前記サーバ６は、前記検査プログラム３３を前記携帯情報端末器２からの要求に応じて送信する検査プログラム配信手段４８を有することを特徴とする。
【００１５】
この構成の場合、携帯情報端末器により、音響データの録音から、その音響データを解析して異常判定する処理、および処理結果の表示までが行える。
【発明の効果】
【００１６】
この発明の第１の携帯端末利用検査システムは、マイクロフォンを内蔵しまたはマイクロフォンを接続可能でかつ画像を出力する画面表示装置を有する汎用の携帯情報端末器と、この携帯情報端末器に通信回線網によって接続されるサーバとを備え、前記携帯情報端末器は、検査対象物を前記マイクロフォンで録音した音響データを前記サーバに返送する音響データ送信手段、および送信した音響データに対して前記サーバから返送された処理結果を前記画面表示装置の画面に表示する処理結果表示手段を有し、前記サーバは、前記携帯情報端末器から送信された音響データを受信する受信処理手段、この受信した音響データを解析して異常判定する処理を行うデータ処理手段、およびこのデータ処理手段の処理結果を前記携帯情報端末器へ返送する処理結果返送手段を有するため、専用センサが不要で、携帯して検査に使用する機器の携帯姓に優れ、かつ安価に構築できる。
【００１７】
この発明の携帯端末利用検査システム用サーバによると、携帯端末利用検査システムを構成するサーバであって、前記携帯端末利用検査システムは、マイクロフォンを内蔵しまたはマイクロフォンを接続可能でかつ画像を出力する画面表示装置を有する汎用の携帯情報端末器と、この携帯情報端末器に通信回線網によって接続されるサーバとを備え、前記サーバは、前記携帯情報端末器から送信された音響データを受信する受信処理手段と、この受信した音響データを解析して異常判定する処理を行うデータ処理手段、およびこのデータ処理手段の処理結果を前記携帯情報端末器へ返送する処理結果返送手段を有するため、携帯情報端末器に専用センサを接続することが不要で、携帯して検査に使用する機器の携帯姓に優れた携帯端末利用検査システムを構築できる。
【００１８】
この発明の第２の携帯端末利用検査システムは、マイクロフォンを内蔵しまたはマイクロフォンを接続可能で、画像を出力する画面表示装置、およびアプリケーションプログラムをダウンロードしてインストール可能なＯＳを有する汎用の携帯情報端末器と、この携帯情報端末器に通信回線網によって接続されるサーバとを備え、前記携帯情報端末器は、検査対象物を前記マイクロフォンで録音した音響データを解析して異常判定する処理を行う端末側データ処理手段と、この端末側データ処理手段の処理結果を前記画面表示装置に表示する処理結果表示手段とを有し、これら端末側データ処理手段および処理結果表示手段は、前記アプリケーションプログラムである検査プログラムを用いて構成され、前記サーバは、前記検査プログラムを前記携帯情報端末器からの要求に応じて送信する検査プログラム配信手段を有するため、携帯情報端末器により、音響データの録音から、その音響データを解析して異常判定する処理、および処理結果の表示までが行え、かつ専用センサが不要な検査システムとなる。
【図面の簡単な説明】
【００１９】
【図１】この発明の第１の実施形態に係る携帯端末利用検査システムを示す概念構成のブロック図である。
【図２】同携帯端末利用検査システムの携帯情報端末器の変形例を示す概念構成のブロック図である。
【図３】同携帯端末利用検査システムの携帯情報端末器の他の変形例を示す概念構成のブロック図である。
【図４】この発明の他の実施形態に係る携帯端末利用検査システムを示す概念構成のブロック図である。
【図５】この発明のさらに他の実施形態に係る携帯端末利用検査システムを示す概念構成のブロック図である。
【発明を実施するための形態】
【００２０】
この発明の第１の実施形態を図１と共に説明する。この携帯端末利用振動検査システムは、回転機械部品等の検査対象物１を検査するシステムであって、汎用の携帯情報端末器２と、この携帯情報端末器２にインターネット等の通信回線網７によって接続されるサーバ６とを備える。検査対象物１は、例えば、転がり軸受や等速ボールジョイント等の転動体１ａを備えた機械部品であり、図示例は転がり軸受である。
【００２１】
携帯情報端末器２は、スマートフォンやタブレット等であり、電話機能は必ずしも有しなくても良いが、電話網，インターネット等の広域の通信回線網７を介してサーバ６と接続可能で、かつアプリケーションプログラムをダウンロードしてインストール可能なＯＳ（オペレーションプログラム）９、液晶表示装置等の画像を表示する画面表示装置２１、および入力機器（図示せず）を有する情報処理機器である。前記入力機器は、画面表示装置２１の画面２１ａ上に設けられるタッチパネルであっても、またハードウェアキーであっても良い。なお、スマートフォンは、上記の携帯情報端末器２の定義のうち、電話機能を備えたものを言う。携帯情報端末器２は、この実施形態の場合、マイクロフォン３を内蔵したものとし、そのマイクロフォン３を前記検査対象物１が発生する音響の録音に用いる。内蔵のマイクロフォン３は、電話の通話のためのものであっても、その他の目的で設けられたものであっても良い。前記通信回線網７は、移動体通信が行える電話回線網またはコンピュータ通信用の回線網である。
【００２２】
携帯情報端末器２は、検査対象物１を前記マイクロフォン３で録音した音響データを前記サーバ６に返送する音響データ送信手段３５、および送信した音響データに対して前記サーバ６から返送された処理結果を前記画面表示装置２１の画面２１ａに表示する処理結果表示手段３６を有する。音響データ送信手段３５は、録音した音響データを、前記入力機器等から入力された検査対象物１の識別情報、および検査の日時や区別のための情報と共に送信する。音響データ送信手段３５は、マイクロフォン３で録音しながらその録音した音響データを送信する構成であっても、またマイクロフォン３で録音した音響データを携帯情報端末器２に設けられた録音データ記憶手段４３で一旦記憶し、その記憶した音響データを送信する構成であっても良い。録音データ記憶手段４３は、携帯情報端末器２が標準機能等として有する機能であっても、この携帯端末利用検査システムに専用に設けられた機能であっても良い。
【００２３】
前記音響データ送信手段３５および前記処理結果表示手段３６は、前記アプリケーションプログラムの一つである検査プログラム３３（図４参照）により一部が構成される。すなわち、前記検査プログラム３３がインストールされることで、携帯情報端末器２のハードウェア部分、ＯＳ９、および前記検査プログラム３３により、図１における前記音響データ送信手段３５および前記処理結果表示手段３６が構成され、あるいはさらに録音データ記憶手段４３が構成される。前記検査プログラム３３は、携帯情報端末器２からの所定の要求に応じてサーバ６の検査プログラム配信手段４１から配信される。
【００２４】
前記サーバ６は、例えば、軸受メーカ等の検査対象物１を製造するメーカのデータセンタ等に設けられる。前記サーバ６は、１台のコンピュータから構成されていても、複数台の互いに接続されたコンピュータで構成されていても良い。前記サーバ６は、携帯情報端末器２から送信された音響データを受信する受信処理手段１３、この受信した音響データを解析して異常判定する処理を行うデータ処理手段４、およびこのデータ処理手段４の処理結果を前記携帯情報端末器２へ返送する処理結果返送手段１４を有する。
【００２５】
受信処理手段１３は、受信した音響データを、その音響データと共に送信された検査対象物１の識別情報や検査の区別のための情報と共に、所定の記憶手段に記憶させる。
処理結果返送手段１４は、データ処理手段４の処理結果を、前記検査対象物１の識別情報や検査の区別のための情報と共に、携帯情報端末器２へ返送する。
【００２６】
データ処理手段４は、受信した音響データを解析する解析部４ａ、およびその解析結果から検査対象物１の異常を判定する異常判定部４ｂを有する。解析部４ａは、音響データを周波数分析する機能、周波数範囲を制限するフィルタ機能、音響データの音響レベルの実効値を計算する機能のいずれか等を有する。異常判定部４ｂは、解析部４ａで得たデータを所定の閾値や許容範囲等と比較して検査対象物１が異常であるか否かを判定する。周波数分析を行う場合、検査対象物１の部位毎の周波数特性を参照することで、検査対象物１のどの部位の異常であるかの判定を行うことも可能になる。
【００２７】
この異常の判定には、検査対象物１の仕様のデータベース１６を用い、このデータベース１６に登録された検査対象物１の型番毎の異常判定の閾値等を用いて行う。データベース１６は、サーバ６の一部として設けられたものであっても、サーバ６とは別に設けられてサーバ６に検察可能に接続されたものであっても良く、検索項目１６ａと、種々の検査対象物１の仕様のデータ１６ｂとが登録されている。異常判定の閾値等のデータは、仕様のデータ１６ｂの一部として登録されていても、また仕様のデータ１６ｂから計算された値であっても良い。
【００２８】
この構成によると、検査対象物１をマイクロフォン３で録音した音響データをサーバ６に送信し、サーバ６により音響データを解析して異常判定するため、サーバ６の持つ高性能の処理機能により音響データの解析および異常判定の処理を行うことができる。処理結果はサーバ６から携帯情報端末器２へ返送するため、携帯情報端末器２で異常判定結果等の処理結果を表示して作業者が処理結果を知ることができる。
また、異常判定に音響データを用いるが、スマートフォンやタブレット等の携帯情報端末器２はマイクロフォン３を一般的に内蔵しており、この内蔵のマイクロフォン３を用いることで、外部機器を接続することなく、検査データの収集、つまり音響データの録音が行える。そのため、携帯情報端末器２のみで、検査データの収集からその送信、処理結果の表示までが行える。
【００２９】
このように、一般的な携帯情報端末器２を検査対象物の検査のための音響データの取得に使用し、専用センサを使用しないため、安価に検査システムを構築できる。特に、この実施形態のように内蔵のマイクロフォン３を利用する場合は、携帯情報端末器２に他の機器を接続する必要が全くなく、携帯情報端末器２に検査プログラム３３をダウンロードしてインストールするだけで、一般の携帯情報端末器２を、この携帯端末利用検査システムを構成する音響データ検査用の機器として使用できる。
このように、この携帯端末利用検査システムによると、専用センサが不要で、携帯して検査に使用する機器の携帯姓に優れ、かつ安価に構築できる。
【００３０】
図２は、携帯情報端末器２の変形例を示す。この例では、外付けのマイクロフォン３Ａを用い、携帯情報端末器２のマイク入力端子４４に接続している。外付けのマイクロフォン３Ａは、一般に市販されているもので良いが、指向性の高いものが好ましい。この例では携帯情報端末器２がマイク入力端子４４を有し、かつこのマイク入力端子４４から入力されたアナログ信号をディジタル信号に変換するＡ／Ｄ変換手段４５を内蔵している。上記外付けのマイクロフォン３Ａで録音されてＡ／Ｄ変換手段４５でディジタル信号に変換された音響データを、音響データ送信手段２１ａでサーバ６（図１）へ送信する。
【００３１】
このように外付けのマイクロフォン３Ａを用いる場合、指向性の高いマイクロフォン３Ａを用いることで、検査対象物１の任意の部位の音響を録音でき、検査対象物１の異常判定がより正確に行える。また、この例では携帯情報端末器２がマイク入力端子４４とＡ／Ｄ変換手段４５を内蔵しているため、外付けのマイクロフォン３Ａに対して別のＡ／Ｄ変換手段を設けたり接続したりすることが不要である。
この実施形態におけるその他の構成，効果は、前記実施形態と同様である。
【００３２】
図３は、携帯情報端末器２の他の変形例を示す。この例では、外付けのマイクロフォン３Ａを用い、携帯情報端末器２の汎用接続端子４６に接続している。汎用接続端子４６は、例えば、マイクロＵＳＢ（接続インタフェース規格であるＵＳＢ規格の一つ）等の規格に適合した端子であり、汎用の目的で使用される。外付けのマイクロフォン３Ａは、Ａ／Ｄ変換手段４７を有しており、またはＡ／Ｄ変換手段５１と接続され、そのＡ／Ｄ変換された音響データが、前記汎用接続端子４６に接続された端子５２を介して携帯情報端末器２に入力される。
【００３３】
ＵＳＢ規格等の汎用の汎用接続端子４６は、一般のスマートフォンやタブレットに標準機能として備えられており、そのような一般的な携帯情報端末器２で外付けのマイクロフォン３Ａを利用できる。その他の構成，効果は、図２の実施形態と同様である。
【００３４】
図４は、この発明の他の実施形態に係る携帯端末利用振動検査システムを示す。この実施形態は、特に説明した事項の他は、第１の実施形態で説明した事項と同様である。またこの実施形態では、第１の実施形態で述べていない詳細を説明しているが、第１の実施形態においても、その詳細説明された機能を備えていても良い。この実施形態では、サーバ６は、通信等処理手段１１と、前記データ処理手段４を構成するデータ処理ソフトウェアを記憶した記憶手段（図示せず）と、端末側の検査プログラム３３を記憶した記憶手段（図示せず）と、軸受等の検査対象物１の仕様についてのデータベース１６と、処理結果記憶手段３１とを備える。
【００３５】
通信等処理手段１１は、通信制御手段１２と、受信処理手段１３と、処理結果返送手段１４と、課金処理手段１５と有する。通信制御手段１２は、通信回線網７を介して、携帯情報端末器２からのアクセスに対応し、通信を確立して通信に関する種々の制御を行う手段である。受信処理手段１３は、携帯情報端末器２からのデータ処理の要求に対して、前記データ処理手段４によるデータ処理を行わせ、また端末側処理ソフトウェア３３を携帯情報端末器２へ送信する。処理結果返送手段１４は、データ処理手段４による処理結果を携帯情報端末器２へ返送する。課金処理手段１５は、携帯情報端末器２からのデータ処理手段４による処理に対して課金を行う手段である。課金の方法は、データ処理手段４の使用毎に課金する方法であっても良く、または定格の課金を行う方法や、端末側の検査プログラム３３のダウンロードに対して課金する方法であっても良い。
【００３６】
前記データ処理手段４は、図１と共に説明した第１の実施形態のものと同様である。データ処理手段４となるデータ処理ソフトウェアは、サーバ６に検査対象物１の検査のためのデータ処理を行わせるプログラムおよびデータで構成される。そのプログラムは、サーバ６の持つＯＳ（オペレーションプログラム）上で実行するアプリケーションプログラムである。データ処理手段４の解析部４ａは、例えば、音響データの周波数分析（ＦＦＴ分析）を行い、ＦＦＴ分析結果から上記軸受の各部（例えば、内輪、外輪、転動体、保持器）の音響レベルを検出する構成とされる。異常判定部４ｂは、この音響レベルを検出して閾値と比較し、閾値を超える場合は異常と判断する。異常診断部４ｂは、異常と判断したときは、帯情報端末器２の画面２１ａに異常があることを表示させ、閾値未満の場合は異常がないと判断して異常がない旨の表示を前記画面２１ａに表示させる処理を、前記処理結果返送手段１４を介して行わせる機能を有する。
【００３７】
異常判定部４ｂは、この異常の判断を行うにつき、閾値以内であっても経時的な処理結果の比較で定められた条件に該当するときは異常であると判断し、その判断結果を前記携帯情報端末器２の画面２１ａに表示させるようにしても良い。
【００３８】
データベース１６は、携帯情報端末器２からのアクセスによって検索可能なデータベースマネジメントシステム（図示せず）とデータの記憶手段とでなり、検索項目１６ｂとして、検査対象物１が軸受の場合、その軸受を階層的に分類した名称を有している。検索項目１６ｂは、玉軸受ところ軸受とに区分した階層、玉軸受につき、深溝玉軸受、アンギュラ玉軸受、その他の各形式の軸受に区分し、ころ軸受につき、テーパころ軸受と円筒ころ軸受、その他の各形式の軸受に区分した階層、さらにサイズ別に区分した階層、シール有無、シール形式に区分した階層に区分されている。検索項目１６ｂは、区分の形式が互いに異なる複数種類の階層を持つようにしても良い。最下層となる一つの型番についての仕様のデータ１６ａは、ファイルとして設けられている。データベース１６は、複数の仕様のデータ１６ａを、種々の階層のフォルダとして抽出可能とされている。
【００３９】
仕様のデータ１６ａは、検査対象物が転がり軸受の場合、例えば、ボール個数、ボール径、内輪・外輪寸法等である。検査対象物１の型番は、検査対象物１の仕様毎に定められた検査対象物の番号、または検査対象物の１個毎に定められた番号であり、検査対象物１が軸受の場合、呼び名または呼び番号等とも称される番号、または製造番号が用いられる。
【００４０】
処理結果記憶手段３１は、前記データ処理手段４で処理された結果、例えば前記異常判定部４ｂで処理された処理結果を記憶する手段である。処理結果記憶手段３１は、例えばデータベースとして設けられ、データ処理手段４で処理した仕様のデータ１６ａや、振動センサ３から得たデータを、携帯情報端末器２の識別データ等と共に記憶する構成としても良い。また、前記データ処理手段４は、前記処理結果を複数比較する機能、並びに処理結果をサーバ６の前記処理結果記憶手段３１に記憶させる機能、およびこの処理結果記憶手段３１から適宜の検索条件で検索して、記憶されている処理結果をダウンロードする機能を有するものとしても良い。前記携帯情報端末器２により、上記の比較する機能を用いて前記複数の前記処理結果を比較しても良い。複数の処理結果を比較することで、より一層適切な検査や、検査結果の評価を行うことができる。
【００４１】
端末側の検査プログラム３３は、携帯情報端末器２で使用するソフトウェアであり、携帯情報端末器２からの送信要求に応答して前記受信処理手段１３より携帯情報端末器２へ送信する。
【００４２】
前記端末側の検査プログラム３３は、詳しくはマイクロフォン３で録音して携帯情報端末器２に付与された音響データをサーバ６へ送信し、サーバ６にデータ処理を行わせる処理等のソフトウェアである。端末側の検査プログラム３３は、携帯情報端末器２でインストールされ、つまり実行可能状態とされることで、携帯情報端末器２に、検出データ送信手段３５、および処理結果表示手段３６、および異常判断手段３８を構成する。
【００４３】
携帯情報端末器２の構成につき、具体的に説明する。携帯情報端末器２は、前述のようにスマートフォンやタブレット等であり、前述のアプリケーションプログラムをダウンロードしてインストール可能なＯＳ９と、画面表示装置２１と、手入力手段２２と、通信制御手段２３と、接続インタフェース２４と、入力情報記憶手段２５とを有する。
【００４４】
画面表示装置２１は、液晶等の画面２１ａに画像を表示する手段である。手入力手段２１は、オペレータが手で入力するための手段であり、文字，数字の入力用のハードウェアキーボード、または画面２１ａ上に手指やタッチペン等を触れて入力を可能とするソフトェアキーボード等からなる。通信制御手段２３は、通信回線網７を介してサーバ６と通信を行う各種の処理を行う手段である。接続インタフェース２４は、携帯情報端末器２と他の機器とを接続するインタフェースであり、この例では、前記マイクロＵＳＢ規格の差し込み接続用端子、およびその入出力処理の回路やソフトウェアで構成される。
【００４５】
入力情報記憶手段２５は、サーバ６や、手入力手段２２、接続インタフェース２４を介して入力された振動センサ３の検出データを記憶する手段である。入力情報記憶手段２５には、前記データ処理手段４が入力されて、実行可能なようにインストールされ、またサーバ６からダウンロードした仕様のデータ１６ａが、階層構造のフォルダからなる仕様データ群２６として記憶される。入力情報記憶手段２５の検出データ記憶部２７は、マイクロフォン３から得た検出データが記憶され、入力データ記憶部２８には、手入力手段２２から入力された各種のデータ、例えば軸受回転速度等が記憶される。
【００４６】
前記端末側の検査プログラム３３が入力されインストールされると、検出データ送信手段３５、異常判断手段３８、および処理結果表示手段３６が構成される。
検出データ送信手段３５は、マイクロファン３で検出されて携帯情報端末器２に取り込まれた検出データをサーバ６へ送信する手段である。
【００４７】
この実施形態の検査システムを用いた検査方法を説明する。まず、準備過程として、携帯情報端末器２から端末側の検査プログラム３３の送信要求をサーバ６に行う。この送信要求に応答して、サーバ６は、端末側の検査プログラム３３を携帯情報端末器２へ送信する。携帯情報端末器２は、ダウンロードした端末側処理ソフトウェア３３をインストールし、実施可能な状態とする。
【００４８】
検査に際しては、携帯情報端末器２にマイクロフォンから入力された音響データと、手入力手段２２等から入力された検査対象物１の型番と、検査対象物１におけるマイクロフォン３による検査時の回転数（＝回転速度）のデータを、携帯情報端末器２から前記サーバ６に送信する。回転数のデータは、手入力手段２２から入力したデータであっても、また回転検出器（図示せず）から得たデータであっても良い。
サーバ６は、受信した検出データを、前記データ処理手段４により前記型番毎の仕様のデータ１６ａと回転数を用いて処理し、処理結果を処理結果返送手段１４によって前記携帯情報端末器２に送り返す。具体的には、データ処理手段４で求めた、周波数分析結果や、音響レベルの実効値等を携帯情報端末器２へ返送する。
また、サーバ６のデータ処理手段４は、例えば、検査対象物２の部位毎（転がり軸受の場合、内輪、外輪、転動体、保持器等）の異常有無を判断し、各部位毎の異常有無の結果を処理結果として送り返す。携帯情報端末器２は、この送り返された処理結果を画面２１ａに表示させる。例えば、内輪、外輪、転動体、保持器の各部を表す絵文字や記号と、異常有無を知らせる文字や記号によって表示する。具体例を挙げると、「内輪：○、外輪：○、転動体：○、保持器：×」のような表示を行う。
【００４９】
なお、このサーバ６でデータ処理を行う方法の場合に、前記携帯情報端末器２に、前記データ処理手段４でデータ処理された処理結果を記憶し、複数の処理結果を比較するようにしても良い。この処理結果の比較は、端末側の検査プログラム３３により行う。
【００５０】
また、このサーバ６でデータ処理を行う方法の場合に、前記データ処理による処理結果として数値データを求め、この数値データが、前記型番毎に定められた閾値を超えるか、または閾値以内であっても経時的な処理結果の比較で定められた条件に該当するときは異常であると判断し、その判断結果を処理結果表示手段３６等で前記携帯情報端末器２の画面に表示させるようにしても良い。
【００５１】
図５は、この発明のさらに他の実施形態を示す。この実施形態は、携帯情報端末器２に音響データの解析および異常判定を行わせるようにしている。すなわち、前記携帯情報端末器２は、検査対象物１を前記マイクロフォン３で録音した音響データを解析して異常判定する処理を行う端末側データ処理手段３８Ａと、この端末側データ処理手段３８Ａの処理結果を前記画面表示装置２１に表示する処理結果表示手段３６Ａとを有し、これら端末側データ処理手段３８Ａおよび処理結果表示手段３６Ａは、前記アプリケーションプログラムである検査プログラム３３Ａを用いて構成される。この検査プログラム３３Ａは、前記各実施例と異なり、インストールされることで前記のように解析および異常診断を行う端末側データ処理手段３８Ａを構成する。
【００５２】
前記サーバ３は、前記検査プログラム３３Ａを前記携帯情報端末器２からの要求に応じて送信する検査プログラム配信手段４８を有する。
その他の構成は、図４の実施形態と同様である。
【００５３】
この構成の場合、携帯情報端末器２により、音響データの録音から、その音響データを解析して異常判定する処理、および処理結果の表示までが行える。
【符号の説明】
【００５４】
１…検査対象物
２…携帯情報端末器
３、３Ａ…マイクロフォン
４…データ処理手段
４ａ…解析部
４ｂ…異常判定部
６…サーバ
７…通信回線網
１３…受信処理手段
１４…処理結果返送手段
２１…画面表示装置
２１ａ…画面
３３…端末側の検査プログラム
３５…音響データ送信手段
３６，３６Ａ…処理結果表示手段
３８Ａ…端末側データ処理手段
４８…検査プログラム配信手段
【図１】
2016023928.tif 000003
【図２】
2016023928.tif 000004
【図３】
2016023928.tif 000005
【図４】
2016023928.tif 000006
【図５】
2016023928.tif 000007